(57)【要約】      （修正有）【課題】患者が服用する薬剤に関するすべての情報、患者が支払う金額に関する情報、薬手帳に貼る情報、薬局からのお知らせ等の情報が表示された付箋付き薬袋であって、簡単で安価に作製できる付箋付き薬袋、及び当該付箋付き薬袋作製用情報表示シートを提供する。【解決手段】各種情報が表示されている付箋に相当する領域１２、及び、薬収容部に相当する領域１３からなり、前記付箋に相当する領域を薬収容部に相当する領域から切離すことが可能な情報表示シートであることを特徴とする付箋付き薬袋を作製するための情報表示シート。【選択図】図１
2015070926.tif 000002
【特許請求の範囲】
【請求項１】
患者が支払う金額に関する情報が表示されている費用情報表示区分、及び保険調剤明細書情報が表示されている保険調剤明細書情報表示区分を表面に有する付箋が、薬剤に関する情報（ただし、保険調剤明細書情報を除く）が表示されている薬剤情報表示区分を表面に有し、さらにその他の情報が表示されているその他の情報表示区分を表面に有してもよい薬収容部と切離し可能で一体的に連接されていることを特徴とする付箋付き薬袋。
【請求項２】
付箋の端部が薬収容部の薬剤の取出し用開口部の近傍で、切離し可能で一体的に連接されている請求項１記載の付箋付き薬袋。
【請求項３】
薬収容部の一部であって、薬剤情報表示区分以外の部分が透明な基剤又は半透明な基材である請求項１又は２記載の付箋付き薬袋。
【請求項４】
患者が支払う金額に関する情報が表示されている費用情報表示区分、及び保険調剤明細書情報が表示されている保険調剤明細書情報表示区分を有する付箋に相当する領域、及び、薬剤に関する情報（ただし、保険調剤明細書情報を除く）が表示されている薬剤情報表示区分を有する薬収容部に相当する領域からなり、前記付箋相当する領域及び薬収容部相当する領域のそれぞれにはさらにその他の情報が表示されているその他の情報表示区分を有していてもよく、前記付箋に相当する領域を薬収容部に相当する領域から切離すことが可能な情報表示シートであることを特徴とする付箋付き薬袋を作製するための情報表示シート。
【請求項５】
請求項４に記載のシートでの薬収容部に相当する領域と反対側の面であって薬剤情報表示区分に相当する面の一部あるいは全てを、透明な基剤又は半透明な基材と所定の固定手段にて薬剤を取り出し自由に収容することができるように固定することを特徴とする付箋付き薬袋を作製するための情報表示シート。
【請求項６】
情報表示シートが情報表示紙である請求項４又は５に記載の付箋付き薬袋を作製するための情報表示シート。
【発明の詳細な説明】
【技術分野】
【０００１】
本発明は、薬剤に関する情報、患者が支払う金額に関する情報（以下、費用に関する情報ということがある）等が表示された付箋付き薬袋及び当該付箋付き薬袋を作成するための情報表示シートに関する。また、本発明は、例えば薬局等で患者に手渡される、患者に投与される薬剤情報、費用に関する情報、薬手帳に貼る情報等のその他患者にとって有用な情報（以下、その他の情報ということがある）等が表示された付箋付き薬袋及び当該付箋付き薬袋作製用情報表示シートに関する。さらに、本発明は、患者が服用する薬剤、当該薬剤に関するすべて情報、及び患者が支払う金額に関する情報、又は前記情報に加えて、薬手帳に貼る情報等の患者が欲しいと願うすべての情報が患者に一括して手渡されることが可能な付箋付き薬袋、及び当該付箋付き薬袋作製用情報表示シートに関する。
【背景技術】
【０００２】
医薬分業が推進され、薬局では医師が処方した処方箋に記載された通りの薬剤を調剤し、患者に当該調剤した薬剤を手渡すことになる。近年の医療技術の向上に伴い、例えば患者に投与される薬剤は多種、多様となってきた。なお、例えば内服薬、外用薬、点眼剤、湿布薬など薬剤の種類は多様であり、例えば内服薬は服用する、外用薬は皮膚に塗る、点眼剤は眼にさすなどと表現されるときが多いが、本明細書では、以下、単に薬剤を服用するということがある。患者に投与される薬剤及びその服用量は患者の症状にともない決定されるものであり、当該患者のみが投与された薬剤及びその量等に応じて服用されるべきであって、他の患者が服用されることはあってはならないことである。薬局では処方箋通りの調剤薬剤であるかどうか十分気を使っている。
【０００３】
薬局では前記調剤された薬剤を患者に手渡す際に、処方箋に記載された通りの薬剤及びその量を薬袋に納めて患者に手渡すのであるが、その際、薬剤師が、投与される薬剤の効能、効果、用法、数量、注意事項等の薬剤情報を印刷した紙を用いて患者に前記薬剤を説明する場合が普通であり、当該薬剤の説明が終わった後に、当該薬情報を印刷した紙を前記薬剤とともに薬袋に納め、領収書や必要に応じて患者に伝える情報を印刷したもの等と共に患者に手渡すことになる。
一方、近年の薬局経営のための経費が増大し、より経費の節減が求められている。前記薬剤の説明から患者に手渡されるまでの間で経費の抑制が可能となればより好ましいことである。また、業務の効率化を図ることができれば、より好ましいことである。
【０００４】
患者に手渡される薬袋表面に薬剤の情報を印刷する技術が報告されている（特許文献１）。また、薬袋内部に収容されている薬剤が視覚的にわかるよう、透明な基剤を使用した薬袋が報告されている（引用文献２）。前記薬袋では、薬袋に収められている薬がどのようなものであるか薬袋表面を見て確認できるので有利であり、特に後者の薬袋は視覚的に薬剤を確認できるので有利である。しかしながら、それら薬袋の作製価格は高く、高価な機器を必要とするし、さらに領収書等を別に発行することが必要である。
そこで、よりコストが安く、安価な薬袋を提供する技術が求められ、より経費の節減を可能とする技術が求められている。また、薬袋を患者に手渡す際にできるだけ短時間で必要なすべてのものを患者に手渡されるよう業務の工夫が求められている。
【先行技術文献】
【特許文献】
【０００５】
【特許文献１】特開２００３−２９１９８１号公報
【特許文献２】特開２０００−２１９２４６号公報
【発明の概要】
【発明が解決しようとする課題】
【０００６】
薬局経営の点からみて、経費の節減が達成できる技術を提案すること、例えば、簡単で安価に作製できる付箋付き薬袋、及び当該付箋付き薬袋作製用情報表示シートを提供することが本発明の課題である。また、例えば患者が服用する薬剤、当該薬剤に関するすべての情報、患者が支払う金額に関する情報、薬手帳に貼る情報、薬局からのお知らせ等の薬局から患者に伝えたいすべての情報が表示された付箋付き薬袋であって、簡単で安価に作製できる付箋付き薬袋、及び当該付箋付き薬袋作製用情報表示シートを提供することが本発明の課題でもある。さらに、業務の効率化を可能とする技術を提供すること、例えば患者が服用する薬剤、当該薬剤に関するすべての情報、患者が支払う金額に関する情報、薬手帳に貼る情報等の患者が欲しいと願うすべての情報が患者に一括して手渡されることが可能な技術を提供することが本発明の課題でもある。
【課題を解決するための手段】
【０００７】
上記のような課題を解決するための本発明は次のような発明である。
請求項１の発明は、患者が支払う金額に関する情報が表示されている費用情報表示区分、及び保険調剤明細書情報が表示されている保険調剤明細書情報表示区分を表面に有する付箋が、薬剤に関する情報（ただし、保険調剤明細書情報を除く）が表示されている薬剤情報表示区分を表面に有し、さらにその他の情報が表示されているその他の情報表示区分を表面に有してもよい薬収容部と切離し可能で一体的に連接されていることを特徴とする付箋付き薬袋である。ここで、付箋とは各種情報が表示されている矩形状の部材であることが好ましい。一体的に連接されているとは、付箋の一部が薬袋の薬収容部を構成する部材と一体的に連接されているともいえる。前記付箋の一部として付箋の端部が挙げられる。付箋の端部は、例えば図２で示されるように矩形状の端部の辺の一部であって、前記薬収容部を構成する部材と一体的に連接できる辺であることが好ましい。また、前記付箋は前記薬収容部と部分的に連接されていてもよい。
請求項２の発明は、請求項１の付箋付き薬袋において、付箋の端部が薬収容部の薬剤の取出し用開口部の近傍で、切離し可能で一体的に連接されている付箋付き薬袋である。ここで、薬剤取出し用開口部の近傍とは、例えば図２で示される薬袋において、内服薬と記載されている上端を挙げることができる。あるいは、前記付箋の端部と連接される部分でもある。
請求項３の発明は、請求項１又は２の付箋付き薬袋において、薬収容部の一部であって、薬剤情報表示区分以外の部分が透明な基剤又は半透明な基材である発明である。なお、請求項３の発明は、請求項１又は２の付箋付き薬袋において、薬収容部が薬剤情報表示区分に相当する情報表示シートと透明な基剤又は半透明な基材から構成されるか、又は薬収容部が薬剤情報表示区分及びその他の情報表示区分に相当する情報表示シートと透明な基剤又は半透明な基材から構成される発明でもある。
請求項４の発明は、患者が支払う金額に関する情報が表示されている費用情報表示区分、及び保険調剤明細書情報が表示されている保険調剤明細書情報表示区分を有する付箋に相当する領域、及び、薬剤に関する情報（ただし、保険調剤明細書情報を除く）が表示されている薬剤情報表示区分を有する薬収容部に相当する領域からなり、前記付箋相当する領域及び薬収容部相当する領域のそれぞれにはさらにその他の情報が表示されているその他の情報表示区分を有していてもよく、前記付箋に相当する領域を薬収容部に相当する領域から切離すことが可能な情報表示シートであることを特徴とする付箋付き薬袋を作製するための情報表示シートである。
請求項５発明は、請求項４の情報表示シートでの薬収容部に相当する領域と反対側の面であって薬剤情報表示区分に相当する面の一部あるいは全てを、透明な基剤又は半透明な基材と所定の固定手段にて薬剤を取り出し自由に収容することができるように固定することを特徴とする付箋付き薬袋を作製するための情報表示シートである。
請求項６の発明は、請求項４又は５に記載の情報表示シートが情報紙の発明である。
【０００８】
本発明でいう付箋付き薬袋を作製するための情報表示シート（以下、情報表示シートということがある）は、一枚のシートに少なくとも薬剤に関する情報（ただし、保険調剤明細書情報を除く）が表示されている薬剤情報表示区分、患者が支払う金額に関する情報が表示されている費用情報表示区分、及び保険調剤明細書情報が表示されている保険調剤明細書情報表示区分を有し、前記費用情報表示区分及び保険調剤明細書情報が表示されている保険調剤明細書情報表示区分を切離すことができることが好ましい。前記薬剤に関する情報としては、薬剤自体の情報、薬剤の用法、調剤者等の調剤に関する情報等が挙げられ、より具体的には、薬剤の名称、効能や効果、形態、数量、服用時期と服用する量、ともに服用してはいけない薬剤の指摘等服用時の注意事項、薬剤に関する問い合わせ先、薬局名、薬剤師名、薬局整理番号、患者氏名、日付等を挙げることができるが、それらに限定されない。それら情報を、文字として、あるいはフルカラー画像として薬剤情報を表示する区分に表示される。なお、本発明では、保険調剤明細書情報は薬剤情報表示区分に表示される情報としないこととする。費用に関する情報としては、領収書のタイトルのもとに、薬剤料、調剤技術料、薬学管理料等、それらの合計額、患者支払（負担）額、領収額が挙げられるが、それらに限定されないのであり、患者氏名、日付、薬局名等を加えてもよく、それらを、文字として、費用情報表示区分に表示される。保険調剤明細書情報としては、保険調剤明細書及びそれに関係する情報が挙げられる。
本発明でいう情報表示シートでは、費用情報表示区分及び保険調剤明細書情報表示区分を切離線、ミシン目等で囲っていてもよく、必要に応じて、前記情報表示シートから費用情報表示区分及び保険調剤明細書情報表示区分を切離すことができる。
本発明でいう情報表示シートでは、費用情報表示区分及び保険調剤明細書情報表示区分は情報表示シートの右側、左側、上部に配置されることが好ましい。とくに上部に配置されると付箋付き薬袋を容易に作製することができる。また、右側又は左側に配置されるときには、費用情報表示区分及び保険調剤明細書情報表示区分を必要量切離した後、付箋付き薬袋を容易に作製することができる。
【０００９】
本発明では、薬剤情報表示区分、及び費用情報表示区分に薬剤に関する情報、及び費用に関する情報を表示する方法の代表例として、レセプトパーソナルコンピューター（以下、レセコンということがある）に保存されている情報から必要な情報を取り出し、薬局に備えたパーソナルコンピューター（以下、薬局パソコンということがある）にて前記各種情報となるよう加工し、保存したうえで、当該各種情報を用紙に印刷する方法が挙げられるが、当該方法に限定されないのであって、たとえば、薬剤に関する情報、及び費用に関する情報を集めて、薬局パソコンにて前記薬剤情報表示区分、及び費用情報表示区分に表示できるよう加工し、保存したうえで、当該加工されて各種情報を用紙に印刷する方法等が挙げられる。さらに、例えばエクセル等のソフトを用いて定型を作成しておき、必要な情報を入力して、保存のうえ、用紙に印刷する方法等が挙げられる。本発明では、それら方法に限定されないのであって、薬局の規模や経営状況等に応じて最適な方法を選択し、採用すればよい。
【００１０】
本発明でいう情報表示シートは、さらに、その他の情報表示区分を有してもよい。当該区分に表示されるその他の情報としては、前記薬剤情報表示区分、及び費用情報表示区分に記載する情報以外の情報が挙げられ、例えば薬手帳に貼る薬剤情報、薬局からの各種案内、連絡事項等を挙げることができるが、それらに限定されない。前記その他の情報は薬収容部に相当する部分に表示されてもよいが、付箋に相当する部分に表示されていてもよい
本発明でいう情報表示シートでは、その他の情報表示区分を切離線、ミシン目等で囲っていてもよく、必要に応じて、前記情報表示シートからその他の情報表示区分を切離すことができる。
その他の情報表示区分にその他の情報を表示する方法は、薬局パソコンを用いて必要な情報をインプットすればよいが、その方法に限定されないのであって、最適な方法を採用すればよい、
【００１１】
本発明でいう情報表示シートは、付箋に相当する領域と、付箋に相当する領域以外の領域（以下、薬収容部に相当する領域ということがある）を有することが好ましく、付箋に相当する領域と薬収容部に相当する領域が一体的であり、付箋を構成する部材と薬収容部を構成する部材が一体的であるともいえる。
前記付箋に相当する領域の端部が、薬収容部に相当する領域と一体的に連接されていることが好ましい。さらには、前記付箋に相当する領域の端部が、薬収容部の薬剤の取出し用開口部の近傍で、切離し可能で一体的に連接されていることが好ましい。ここで、前記付箋に相当する領域の端部は、薬収容部に相当する領域と一体的に連接されている部分であって、薬収容部に相当する領域で薬収容部の形成に関与しない部分であるということができ、例えば図２において、情報表示シートの一端から３ｃｍ程度以下の部分であるということができる。
本発明でいう情報表示シートでは、付箋に相当する領域は矩形状とすることが好ましい。すなわち、費用情報表示区分及び保険調剤明細書情報表示区分、又は、費用情報表示区分、保険調剤明細書情報表示区分及び付箋表面に表示されるその他の情報表示区分が矩形におさまっていることが好ましい。また、本発明でいう情報表示シートでは、薬収容部に相当する領域から薬収容部を形成することが好ましく、薬収容部に相当する領域の部分を二つ折りに折り曲げ、重ね合わさった端部を固定することにより、薬収容部を形成することが好ましい。
本発明でいう情報表示シートにおいて、シートの大きさや素材は、例えば、A４サイズ又はB４サイズのコピー用紙であることが好ましいが、本発明では、例えば、短冊状のような細長い紙等その他のサイズの用紙でも、また、紙以外の他の素材からなる任意の大きさのシートであっても、本発明の初期の目的を達成できるかぎり、特に制限されない。
【００１２】
本発明でいう付箋付き薬袋は通常の薬袋と同様に収容された薬の出し入れ自由な開口部を有する。より具体的には、前記情報表示シートの付箋に相当する領域を薬収容部に相当する領域から部分的に切離し、薬収容部に相当する領域を折り曲げ加工し、所定の固定手段を採用して付箋付き薬袋を作製できる。ここで、付箋に相当する領域を薬収容部に相当する領域から部分的に切離すとは、付箋に相当する領域の一部は薬収容部に相当する領域と連説され、それ以外の部分は切離すことを意味し、前記一部とは付箋に相当する領域が薬収容部に相当する領域から切離そうと人が思い、ヒトの力で簡単に切離すことができる程度の長さをいう。一部分の長さを一概に数値化できないが、あえて記載するなら、情報シートの上端から１〜３ｃｍ程度ということができる。
前記と異なる付箋付き薬袋を作製する方法として、前記情報表示シートの付箋に相当する領域を薬収容部に相当する領域から部分的に切離し、前記情報表示シートの薬剤情報区分に隣接する薬収容部表面に表示されるその他の情報表示区分を切離し、前記薬剤情報表示区分の裏面に、当該シートとほぼ同じ大きさの透明なシート類は半透明なシート類など、収容されている薬剤を目視でき、確認できるようなシートを前記所定の固定手段を採用して付箋付き薬袋を作製できる。
前記透明なシートあるいは半透明なシートとしては収容されている薬剤を視覚的に確認できるシートであればどのようなシートでも採用できる。より具体的にはセロハンシートを例示できるが、それに限定されない。
所定の固定手段としては、金属針ホッチキス又は紙ホッチキスが好ましく、特に紙ホッチキスを採用すると簡単な操作で付箋付き薬袋を作製できるだけでなく、薬剤への破損や損傷が起こらないという利点があり、好ましい。また、金属針も不要である。さらに、紙ホッチキスを用いて重ねられた紙を固定する際、例えば横が１−２ｃｍ、縦が４ｃｍ程度の幅広の紙片を二つ折りにし、前記重ねられた紙の端部を前記二つ折りの紙片の折れ線に接触するように紙片に差込み、次いで前記紙片を紙ホッチキスで固定すると、より保持力が向上させることができる。
固定するホッチキスの数は決まっているわけではなく、収容される薬剤の種類、大きさ、数量等に応じて、固定するホッチキスの数を適宜決めればよい。
【００１３】
本発明が規定する付箋付き薬袋は収容されている薬剤を一時的に保管することができ、その点では、従来から知られている薬袋と差がない。また、本発明の付箋付き薬袋は収容されている薬剤を服用する通常の期限（例えば６カ月程度）を超えても十分薬剤を保管することができ、その点でも、従来から知られている薬袋と重なる。
一方、本発明の付箋付き薬袋は本発明が規定する情報表示シートを用いて作製されるが、従来から知られている普通の薬袋は上記各種の情報が印刷されていない紙シートから製袋し、次いで該袋に情報を印刷するのであるから、本発明の付箋付き薬袋は前記普通の薬袋と異なる。また、本発明が規定する情報表示シートは新規であるし、本発明が規定する薬収納体は新規な情報表示シートを新規な方法を用いて作製されるので、表面に薬剤の情報を印刷する公知の薬袋と異なる。とくに金属ホッチキスや紙ホッチキスを固定手段として使用すると、前記合一部分は部分的に固定されるので、その点でも本発明の付箋付き薬袋は前記普通の薬袋と異なる。
【発明の効果】
【００１４】
本発明により、患者が服用する薬剤に関する情報、患者が支払う費用に関する情報等、薬局が患者に伝えるべき全ての情報が１枚のシートに表示されたシートを提供することができる。また、当該情報表示シートを用いて患者に薬剤等を説明した後に、簡単な操作で必要十分な収容期間と強度を有する付箋付き薬袋を作製できる。
本発明では、安価なコピー用紙から容易に付箋付き薬袋を作製できるので、高価な薬袋作製用シートを購入する必要もないし、高価な機器を設置する必要もなく、従来から使用されてきた薬袋も不要である。また、薬剤の形態、効能等の説明書、患者から費用を受取った旨の領収書、他の必要な情報等印刷した書類を１枚のコピー用紙で済ませることができるので、従来では薬剤説明書又は薬袋作製用シート、領収書、薬手帳貼付用のラベルや用紙等の多数の用紙等が必要であったことと比較すると、本発明により薬局の経費を大幅に節減することを可能とすることができる。さらに、薬剤師は前記前記シートを用いて薬剤を確認しながら患者に説明することができ、説明終了後、当該薬剤の全てが収容された付箋付き薬袋を患者に手渡せば、薬剤、領収書、患者に伝えるべき全ての情報が一度に患者に渡ったことになり、薬局での業務の効率化が図られるので、その点で有利である。患者にとっても、薬剤、領収書、全ての情報が一度で受け取れ、薬剤、領収書、情報を簡単に確認でき、誤りなく薬剤を服用することができる。また、必要に応じて患者は領収書、保険調剤明細書、薬手帳に貼る情報等のその他の情報を切離すこともできる。
【図面の簡単な説明】
【００１５】
【図１】図１は本発明が規定する収容された薬を取り出すことができる付箋付き薬袋を作製するための情報表示シートの平面概略図である。
【図２】図２は、図１で示される付箋付き薬袋を作製するためのシートから作製した付箋付き薬袋の平面概略図である。
【図３】図３は、図１で示される付箋付き薬袋を作製するためのシートから作製した付箋付き薬袋薬の図２とは反対方向からみた平面概略図である。
【図４】図４（a）は舌片１５１と切裂き部１５６との関係を説明する重ね合わされた紙の端部の断面概略図であり、図４（ｂ）は、重ね合わされた紙の端部が紙ホッチキスで固定されたときの重ね合わされた紙の端部の平面概略図であり、図４（c）は、重ね合わされた紙の端部が紙ホッチキスで固定されたときの重ね合わされた紙の端部の図４（a）と異なる断面概略図であり、図４（ｄ）は、重ね合わされた紙の端部が紙ホッチキスで固定されたときの重ね合わされた紙の端部の図４（ｂ）と反対側からの平面概略図である。
【図５】図５は、図１で示される付箋付き薬袋を作製するためのシートから作製した上記と異なる付箋付き薬袋の平面概略図であり、薬剤に関する情報が表示されているシートの一部を欠いてある。
【発明を実施するための形態】
【００１６】
以下、図を用いて本発明を説明するが、本発明はこれら図及び図の説明に何ら限定されない。
発明を実施するための形態１
図１は本発明が規定する付箋付き薬袋を作製するためのシートの代表的な例である、
【００１７】
図１において、付箋付き薬袋を作製するためのシート１はA４サイズのコピー用紙（普通紙）を使用し、左側上部に費用情報表示区分５、その下に保険調剤明細書情報表示区分６、その下に薬手帳に貼る情報が表示されている手帳貼付情報表示区分７を有する。右側にその他の情報表示区分７２を有し、中間に薬剤情報表示区分３を有する。薬剤情報表示区分３の幅はその他の情報表示区分７２の幅とほぼ同じである。前記シート１の左側は付箋に相当する領域１２であり、右側と中間部が薬収容部に相当する領域１３である。
薬剤情報表示区分３には、内服薬のタイトルのもとに、患者様へのお薬及び調剤日が印刷され、さらに、処方箋（図示されていない）に記載された薬剤１、薬剤２、薬剤３それぞれの名称、効能や効果、形態、数量、服用時期と服用する量、ともに服用してはいけない薬剤の指摘等服用時の注意事項等が文字情報として、あるいは画像情報として表示されそれぞれの薬剤外観がフルカラー写真で示されている。なお、図面では、写真の掲載を省略した。引き続き、医師の指示通りに使用してくださいと記載され、さらにお薬に関する問い合わせ先のタイトルの下に、処方箋を発行した病院名と医師名、電話番号、FAX 番号が印刷され、その下部に、付箋付き薬袋を患者に手渡した薬局名、電話番号、FAX 番号、薬剤師名、調剤整理番号（図示されていない）が印刷されている。
前記費用情報表示区分５には、領収書のタイトルのもとに、患者氏名、日付（図示されていない）が印刷され、薬剤料、調剤技術料、薬学管理料等、それらの合計額、患者支払（負担）額、領収額、薬局名（図示されていない）が印刷されている。
前記保険調剤明細書情報表示区分６には、保険調剤明細書が印刷されている（図示されていない）。
左側下部のその他の情報表示区分７には、薬手帳に貼ってくださいのタイトルのもとに、薬の名称、用法、数量、効能、効果、注意事項等が印刷されている（図示されていない）。
右側に記載されているその他の情報表示区分７２には、薬局からのお知らせ、特記事項等のタイトルのもとに、薬局からのお知らせや特記事項等が詳細に印刷されている（図示されていない）。
前記費用情報表示区分５、保険調剤明細書情報表示区分６、及び手帳貼付情報表示区分７の付近にはミシン目５１が設けられ、付箋付き薬袋を作製するためのシート１から切離すことができる。前記その他の情報表示区分７２と薬剤表示区分３とのほぼ中間にミシン目５７が設けられ、必要に応じて付箋付き薬袋を作製するためのシート１から切離すことができる。
【００１８】
以下、上記シートの表示方法を説明する。この説明は図に基づいてはいない。
市販された「エクセル」ソフトに、情報表示シートに薬剤情報表示区分、費用情報表示区分、保険調剤明細書情報区分、手帳貼付情報区分及びその他の情報表示区分を設ける定型を作成し、前記それぞれの情報区分にそれぞれの情報をインプットし、それぞれの情報表示区分に必要な情報が表示される情報表示シート用データを保存したうえで、アウトプットし、A4サイズのコピー用紙に印刷することにより、付箋付き薬袋を作製するための情報表示シートを得た。
【００１９】
前記付箋付き薬袋作製用情報表示シート１には、薬剤に関する情報等が全て記載されているので、薬剤師が患者に投与された薬剤について、前記付箋付き薬袋作製用情報表示シートを用いて患者と面談しながら説明できる。
薬剤についての説明や服用時の注意事項の説明など、一通りの説明の終了後、後述するような操作にて前記薬剤が収容された付箋付き薬袋１１を作製した。当該薬剤が収容された付箋付き薬袋１１を患者に手渡し、患者が服用する薬剤、当該薬剤情報を記載したもの、その他の患者が欲しいと願う情報を表示したもの、領収書を一度で患者に手渡すことができた。
【００２０】
図２は、図１で示される付箋付き薬袋を作製するためのシート１から作製した付箋付き薬袋の平面概略図である。図３は、図１で示される付箋付き薬袋を作製するためのシート１から作製した付箋付き薬袋の図２とは反対方向からみた平面概略図である。図４（a）は舌片１５１と切裂き部１５６との関係を説明する図であり、紙ホッチキスで固定される前の重ね合わされた紙の端部１４の断面概略図であり、図４（b）、（c）、（d）は、重ね合わされた紙の端部１４が紙ホッチキスで固定されたときの構造を説明する図であって、図４（c）は、重ね合わされた紙の端部１４の断面概略図であり、図４（b）は、重ね合わされた紙の端部１４の平面概略図であり、図４（d）は、重ね合わされた紙の端部１４の図４（ｂ）と反対側からの平面概略図である。
以下、図１、図２、図３、図４を参考にして、付箋付き薬袋１１の作製法について説明する。
前記付箋付き薬袋作製用情報表示シート１を構成する付箋に相当する領域１２であって、矩形状におさまっている前記費用情報表示区分５、保険調剤明細書情報表示区分６、及び手帳貼付情報区分７を、ミシン目５１に沿って上端から２ｃｍ程度残して部分的に切離し、端部２２で一体的に連接されている付箋付き情報表示シート（図示されていない）を得た。
当該付箋付き情報表示シートの薬剤情報表示区分３及びその他の情報表示区分７２を、ほぼ中間にあるミシン目５７を折れ線とし、情報が表示されていない面が互いに向き合うように二つ折りにした後、当該二つ折りにしたシートを、前記薬剤情報表示区分３に表示された情報面が下となるよう配置した。
当該二つ折りした一方のシートである薬剤情報が表示されていない面に処方箋記載通りの数量の薬剤１、薬剤２、薬剤３（図示していない）を置いた。次いで、他方のシートであるその他の情報表示区分７２に相当する部分を持ち上げ、その他の情報が表示されていない面を前記薬剤情報が表示されていない面に重ね、前記薬剤を覆った。  
前記薬剤情報表示区分３及びその他の情報表示区分７２の横幅はほぼ同じであるから、前記二つの折れ片同士の端部を重ね合せ、当該重ね合せた端部を市販されている紙ホッチキス固定機器（図示していない）（ＳＬ−１０６Ａ，プラス株式会社製）の所定位置に配置し、紙ホッチキス固定機器の所定位置を押圧すると、前記重ね合せた端部は舌片状１５１の紙ホッチキス１５で固定された。前記固定操作を前記重ね合せた端部と異なる端部に適用し、図２に示される付箋付き薬袋を得た。
重ね合わされた紙の端部が紙ホッチキスで固定されたときの構造は図４に例示されており、次のとおりである。前記重ね合わされた紙の一部１４において、先端が丸い長方形な舌片１５１がくり抜かれ、折返され、近傍に設けた切裂き部１５６を貫通し、舌片１５１の基部１５１２は一方の紙表面と、舌片１５２の先端部１５１１は一方の紙表面と接している。舌片１５１の形状はくり抜かれた後の形１５２のような形状である。
前記シートを二つ折りにし、二つ折りしたシートの内部に薬剤１、薬剤２、薬剤３を置いた後、前記折り片同士を重ね合せ、固定する操作から見て、本発明でいう付箋付き薬袋は必要に応じて薬剤を取出すことができる薬包装体ということもできる。
【００２１】
発明を実施するための形態２
図１において、前記費用情報表示区分５、保険調剤明細書情報表示区分６、及び手帳貼付情報表示区分７は左側に配置されているが、前記費用情報表示区分５、保険調剤明細書情報表示区分６、及び手帳貼付情報表示区分７を上部に配置して情報表示シートを得た。当該情報表示シートから前記発明を実施するための形態１とほぼ同様な手順で、付箋が切離し可能であって、薬剤が収容された付箋付き薬袋を得た。なお、予めミシン目５１に沿って前記費用情報表示区分５、保険調剤明細書情報表示区分６、及び手帳貼付情報表示区分７を部分的に切離す操作を不要としてもよい。
【００２２】
発明を実施するための形態３
以下、図５及び図１を参考にして、上記と異なる付箋付き薬袋１１の作製法について説明する。
図５は、上記と異なる付箋付き薬袋の平面概略図であり、薬剤に関する情報を表示したシートの一部を切り欠いてある図である。
【００２３】
図１で示される情報表示シート１を用いて、薬剤についての説明や服用時の注意事項の説明など、一通りの説明の終了後、前記付箋付き薬袋作製用情報表示シート１からミシン目５１に沿って、費用情報表示区分５、保険調剤明細書情報表示区分６、及び手帳貼付情報表示区分７を部分的に切離し、端部２２で一体的に連接されている情報表示シート（図示されていない）を得た。
当該情報シートからその他の情報表示区分７２をミシン目５７に沿って切離した後、薬剤情報表示区分３に相当し、しかもそれら情報が表示されていない面に、その他の情報表示区分７２とほぼ同じ大きさの透明なセロハンシート１７を添え付け、当該シートとセロハンシートとの端部であって、薬剤出し入れ用開口部（図示していない）に相当する部分以外の端部を、紙ホッチキス固定機器（図示していない）を用いて紙ホッチキス１５で部分的に固定し、図４で示される薬剤の出し入れが自由な開口部を有する付箋付き薬袋を作製した。当該付箋付き薬袋１１に薬剤を収容した薬剤が収容された付箋付き薬袋を患者に手渡し、患者が服用する薬剤、当該薬剤情報を記載したもの、その他の患者が欲しいと願う情報を表示したもの、領収書を一度で患者に手渡すことができた。
【００２４】
本発明において、費用情報表示区分、保険調剤明細書情報表示区分及び手帳貼付情報表示区分７は、必要に応じて、それぞれ単独に、あるいはまとめて切離すことができる。例えば、患者が自宅等の任意の場所にて切離すこともできる。また、薬手帳に貼る情報を有する付箋付き薬袋を薬局で受け取り、自宅で当該付箋付き薬袋から薬手帳にはる情報を切離し、薬手帳に貼付することも可能となった。
【００２５】
発明を実施するための形態４
発明を実施するための形態３において、紙ホッチキスを用いて端部を固定する前までは発明を実施するための形態３と同じである。
発明を実施するための形態４は、横がほぼ２ｃｍ、縦がほぼ４ｃｍの紙片を二つ折りにした紙片を用意した。紙ホッチキスを用いて端部を固定する際に、前記前記紙片の折れ線がセロハンシートと情報表示シートとの重ね合わせた部分の端部に接触するように紙片を差込み、次いで前記紙片を紙ホッチキスで固定した。この固定する操作を繰り返し、付箋付き薬袋を得た。この付箋付き薬袋はセロハンシートと情報表示シートとの重ね合わせた部分がより強く固定され、保持力が向上した付箋付き薬袋を得ることができた。
【００２６】
本発明を以下のように表すことができる。
（１）患者が支払う金額に関する情報が表示されている費用情報表示区分、及び保険調剤明細書情報が表示されている保険調剤明細書情報表示区分を表面に有する付箋が、薬剤に関する情報（ただし、保険調剤明細書情報を除く）が表示されている薬剤情報表示区分を表面に有する薬収容部と切離し可能で一体的に連接され、前記付箋及び薬収容部のそれぞれにはさらにその他の情報が表示されているその他の情報表示区分を有していることを特徴とする付箋付き薬袋。
（２）付箋の端部が薬剤取出し用開口部の近傍の薬収容部と切離し可能で一体的に連接されている上記（１）記載の付箋付き薬袋。
（３）患者が支払う金額に関する情報が表示されている費用情報表示区分、及び保険調剤明細書情報が表示されている保険調剤明細書情報表示区分を有する付箋に相当する領域、及び、薬剤に関する情報（ただし、保険調剤明細書情報を除く）が表示されている薬剤情報表示区分を有する薬収容部に相当する領域からなり、前記付箋相当する領域及び薬収容部相当する領域のそれぞれにはさらにその他の情報が表示されているその他の情報表示区分を有しており、前記付箋に相当する領域を薬収容部に相当する領域から切離すことが可能な情報表示紙であることを特徴とする付箋付き薬袋を作製するための情報表示紙。
（４）費用情報表示区分、保険調剤明細書情報表示区分及び付箋表面に表示されるその他の情報表示区分が矩形におさまっていることを特徴とする上記（３）記載の付箋付き薬袋を作製するための情報表示紙。
（５）薬収容部表面に表示されるその他の情報表示区分が薬剤情報表示区分に隣接され、前記薬剤情報表示区分の大きさが、前記その他の情報表示区分の大きさとほぼ同じである上記（３）又は（４）記載の付箋付き薬袋を作製するための情報表示紙。
（６）上記（３）〜（５）のいずれかに記載の情報表示紙の付箋に相当する領域を薬収容部に相当する領域から部分的に切離し、薬収容部に相当する領域を折り曲げ加工し、薬剤を出し入れ自由な開口部を有する薬収容部となるよう折り曲げ加工部分を固定して得ることを特徴とする付箋付き薬袋。
（７）上記（４）又は（５）記載の情報表示紙における矩形におさまっている費用情報表示区分、保険調剤明細書情報表示区分及び付箋表面に表示されるその他の情報表示区分を部分的に切離し、
薬剤情報表示区分及び薬収容部表面に表示されるその他の情報表示区分を、情報が表示されている面が外側になるように二つ折りし、
折り合わさった面同士の端部を、薬剤の出し入れが自由な開口部を有する薬収容部を形成できるように合一させ、
所定の固定手段にて、前記合一部分の端部であって、前記開口部を形成する合一部分以外の合一部分の端部を薬剤が収容できる程度に部分的に固定する
ことを特徴とする薬剤の出し入れが自由な開口部を設けた付箋付き薬袋。
（８）上記（５）記載の情報表示紙に費用情報表示区分、保険調剤明細書情報表示区分及び付箋表面に表示されるその他の情報表示区分の端部以外の部分を部分的に切離し、さらに薬収容部表面に表示されるその他の情報表示区分を切離した後、
当該その他の情報表示区分とほぼ同じ大きさのセロハンシートを、薬剤情報表示区分に相当し、しかも情報が表示されていない面に、薬剤の出し入れが自由な開口部を有する薬収容部を形成できるように重ね合わせ、
前記重ね合わせた面と基材の端部を、所定の固定手段にて、薬剤の出し入れが自由な開口部を有し、しかも薬剤が収容できる程度に部分的に固定する
ことを特徴とする収容された薬の出し入れが自由な開口部を設けた付箋付き薬袋。
（９）所定の固定手段が紙ホッチキスである上記（７）又は（８）記載の収容された薬を取出すことができる開口部を設けた付箋付き薬袋。
（１０）薬剤が収容された上記（１）、（２）、（６）、（７）、（８）、（９）のいずれかに記載された付箋付き薬袋であって、薬剤が収容された付箋付き薬袋を患者が薬局で受取ることを特徴とする薬剤及び領収書、又は薬剤、領収書及びその他の情報を一括して患者が受取る方法。
【符号の説明】
【００２７】
１        付箋付き薬袋を作製するための情報表示シート
１０      付箋付き薬袋
１２      付箋に相当する領域
１３      薬収容部に相当する領域
１４      紙の端部
１５      紙ホッチキス
１５１    舌片
１５２    折返された舌片の跡
１５１１  舌片１５１の先端部
１５１２  舌片１５１の基部
１５６    切裂き部
１７      セロハンシート
２２      端部
３        薬剤情報表示区分
５        費用情報表示区分
５１      ミシン目
５２      ミシン目
５７      ミシン目
６        保険調剤明細書情報表示区分
７        手帳貼付情報表示区分
７２      その他の情報表示区分
【図１】
2015070926.tif 000003
【図２】
2015070926.tif 000004
【図３】
2015070926.tif 000005
【図４】
2015070926.tif 000006
【図５】
2015070926.tif 000007